(57)【要約】      （修正有）【課題】上腕や脇下等のたるみ部分のシルエット線を整えることができ、それにより身体を締め付ける苦痛を伴わない女性用下着を提供する。【解決手段】先端部分を切り落としたパンティーストッキングの脚挿入部３及びこれに連設する腹部２からなり、当該腹部２に対して縦方向の切れ目を入れて腹部を展開状態とした第１の部分片１２と、パンティーストッキングの腹部２を展開状態とした第２の部分片１２と、展開状態となっている第１の部分片１１の腹部２及び第２の部分片１１とを連結する連結片１３とを備え、第１の部分片１１が上腕、肩、アンダーバストを覆い、第２の部分片１２がウエストを覆うように形作られている。【選択図】図７
0003107679.tif 000002
【実用新案登録請求の範囲】
【請求項１】
パンティストッキングを裁断・縫製して製造される下着であって、
前記下着は、前記パンティーストッキングの先端部分を切り落とした脚挿入部及びこれに連設する腹部からなり、
当該腹部に対して縦方向の切れ目を入れて腹部を展開状態とした第１の部分布と、
パンティーストッキングの腹部を展開状態とした第２の部分布と、
展開状態となっている前記第１及び第２の部分布を連結する連結布とを備え、
前記第１及び第２の部分布における腹部の前側の縫合部を切り除くと共に、この切り除き部分にファスナーを設けて形作られていることを特徴とする女性用下着。
【請求項２】
前記第１及び第２の部分布の自由端側にゴムレース布からなる飾り布が縫合されていることを特徴とする請求項１に記載の女性用下着。
【考案の詳細な説明】
【技術分野】
【０００１】
本考案は、パンティーストッキングを素材として利用した女性用下着に関する。
【背景技術】
【０００２】
太り気味の女性の身体や、たるんだ筋肉に対しては、ボディスーツを下着として着用することにより体のシルエット線を整えることが行われている。このようなボディスーツとしては、特許文献１や特許文献２に開示されている。
【０００３】
しかしながら、ボディスーツは体を締め付けることにより体のシルエット線を整えるものであり、着用の際には、苦痛を伴うものとなっている。また、ボディスーツは、締め付けを行うために、伸びない布地や伸びの少ない布地を用いる必要があり、結果として厚い布地が採用されている。このため、風通しが悪く、夏季には苦痛がさらに大きくなるばかりでなく、薄着には適合しない問題がある。
【０００４】
さらに、締め付けられた部分における周囲の筋肉や皮膚がボディスーツからはみ出して盛り上がるため、締め付け部分以外のシルエット線が崩れる問題も有している。
【０００５】
このようなボディスーツは、バスト、ウエストや下腹を締め付けてこれらの部分のシルエット線を整え、下着としてのブラジャーはバストのシルエット線を整えるものであるが、これら以外の身体部分、例えば、上腕やその付け根、脇下を整えるものではなく、このため、これらの部分の盛り上がりを抑制できない問題を有している。
【特許文献１】特開２００３−８２５０３号公報
【考案の開示】
【考案が解決しようとする課題】
【０００６】
本考案の課題は、パンティーストッキングを素材として用いることにより、上腕や脇下等のたるみ部分のシルエット線を整えることができ、これにより、身体を締め付ける苦痛を伴うことなく着用することが可能な女性用下着を提供することである。
【課題を解決するための手段】
【０００７】
請求項１記載の考案の女性用下着は、パンティストッキングを裁断・縫製して製造される下着であって、前記下着は、前記パンティーストッキングの先端部分を切り落とした脚挿入部及びこれに連設する腹部からなり、当該腹部に対して縦方向の切れ目を入れて腹部を展開状態とした第１の部分布と、パンティーストッキングの腹部を展開状態とした第２の部分布と、展開状態となっている前記第１及び第２の部分布を連結する連結布とを備え、前記第１及び第２の部分布における腹部の前側の縫合部を切り除くと共に、この切り除き部分にファスナーを設けて形作られていることを特徴とする。
【０００８】
請求項２記載の考案は、前記第１及び第２の部分布の自由端側にゴムレース布からなる飾り布が縫合されていることを特徴とする。
【考案の効果】
【０００９】
本考案によれば、上腕、肩、アンダーバストを覆う第１の部分片及びウエストを覆う第２の部分片がいずれもパンティーストッキングを素材とするものであり、伸縮自在の素材のため、弾力を有した状態で上述した身体部分を覆う。このため、上腕、肩、アンダーバストやウエストの筋肉や皮膚が盛り上がったり、はみ出すことなく、確実にカバーリングすることができる。また、カバーリングに際しては、パンティーストッキングからなる第１の部分片及び第２の部分片が身体部位に密着する。このため、身体のシルエット線を美しくすることができる。また、全体が軽量で且つ身体部分を締め付けることがないため、着用時における苦痛が伴うことがないばかりでなく、薄い生地のため、薄着に対しても好適に着用することが可能となる。
【考案を実施するための最良の形態】
【００１０】
以下、本考案を図示する一実施の形態により、具体的に説明する。図１はパンティーストッキングを示し、図２〜図６は作成手順を示し、図７は作成された実施の形態の女性用下着の前身頃、図８はその後身頃を示し、図９及び図１０は着用状態を示す。
【００１１】
この実施の形態に用いるパンティーストッキング１は、図１に示すように、腹部２と脚挿入部３とが連設されることにより構成されている。脚挿入部３は、上部から下部に向かって大腿部３ａ、膝部３ｂ、ふくらはぎ部３ｃ、足首部３ｄ及び足先部３ｅが順に連設されている。また、腹部２の上端部には、身体への装着を行うためのゴムバンド部４が設けられている。このパンティーストッキング１の素材としては、ポリウレタン弾性糸、ナイロン（商品名）等からなるポリアミド糸等を編成した伸縮自在な布材が使用されるものである。
【００１２】
次に、このパンティーストッキング１を用いて女性用下着１０を作成する手順を説明すると、図２の（ａ）はその第１工程であって、脚挿入部３の先端部分の切り落としを行う。切り落としは、両脚の脚挿入部３に対して行うものであり、切り落とされる先端部分としては、ふくらはぎ部３ｃ、足首部３ｄ、足先部３ｅの連設部分が良好である。従って、切り落としにより残された脚挿入部３は、大腿部３ａ及び膝部３ｂによって構成され、以下、この実施の形態において残された脚挿入部の全体を脚挿入部３として記載する。かかる脚挿入部３には、腹部２が連設している。図２の（ｂ）は、他のパンティーストッキング１から、切り取られる腹部２ａを示したものである。
【００１３】
脚挿入部３は、着用者の腕が挿入されることにより、着用者の上腕を覆うものである（図９参照）。従って、脚挿入部３は着用者の好みあるいは体の大きさに合わせて適宜その長さを選定することができ、このため切り落とし部分を足首部３ｄ、足先部３ｅとしたり、膝部３ｂの中途部分で切り落としを行っても良い。
【００１４】
図３は第２工程を示し、腹部２の前側の縫合部（図中Ａで示す）にハサミを入れて切断することにより切断部を広げて、腹部２を展開状態とした第１の部分片１１を作成する。図３の（ａ）は、図２の（ａ）で示した脚挿入部３を逆さにして示した切断前の状態であり、図３の（ｂ）は、切断後を示したものである。図４は、上述した第１の部分片１１に対して、ゴムバンド部４の切り落としを行う工程を示したものである。因みに、図３の（ｂ）と図４とは、同一状態のものであり、図４の方がより実際的なパンティーストッキングの状態を示した記載となっている。
【００１５】
図５は第１の部分片１１の作成に加えて、第２の部分片１２を作成する第３工程を示す。第２の部分片１２はパンティーストッキング１の腹部２によって構成されるものである。この第２の部分片１２は、第１の部分片１１を作成したパンティーストッキング１と別個のパンティーストッキング１を用い、この別個のパンティーストッキング１から脚挿入部３の全体を切り落として第２の部分片１２とする。この第２の部分片１２は、図２の（ｂ）で示した腹部２ａである。このような第２の部分片１２は、第１の部分片１１を作成するパンティーストッキング１から腹部２を２分割することにより第２の部分片１２として形成することもできる。
【００１６】
図６は、以上の第１の部分片１１及び第２の部分片１２を並べた状態を示す。この場合、第２の部分片１２がゴムバンド部４を有している場合には、第１の部分片１１と同様にゴムバンド部４を腹部２から切り落とす。また、第１の部分片１１及び第２の部分片１２が腹部２を丸めるための縫合部が残っている場合には、この縫合部を切り落として除去する。そして、この縫合部切り落とし部分（図中における左右端）に対しては、図７に示すようにファスナー１４を取り付けることにより前開きの下着とすることができる。
【００１７】
図６に示すように、第１の部分片１１及び第２の部分片１２においては、腹部２に縦方向の溶着線７（背中が当接する部分）が形成されており、この溶着線７を目安として第１の部分片１１及び第２の部分片１２の腹部２を並べる。これに加えて、第１の部分片１１及び第２の部分片１２の間に連結片１３（図７及び図８参照）を差し込み、連結片１３の両端部を第１の部分片１１及び第２の部分片１２に縫合してこれらの部分片１１、１２を連結する。連結片１３としては、ゴムレース布を用いることにより、装飾性を付与することができる。
【００１８】
図７及び図８は、以上の工程を経て作成されたこの実施の形態の女性用下着１０を示す。この女性用下着１０では、第１の部分片１１及び第２の部分片１２が連結片１３によって連結し、且つ、ファスナー１４を取り付けることにより前開きの下着となっており、胸部及び腹部を含めた身体部位を覆うようになっている。また、この形態の女性用下着１０においては、第１の部分片１１の自由端側に小幅の飾り片１５が縫合されると共に、第２の部分片１２の自由端側にも小幅の飾り片１６が縫合されている。さらに、第１の部分片１１における脚挿入部３の自由端側にも小幅の飾り片１７が縫合されている。これらの飾り片１５、１６、１７としては、連結片１３と同様なゴムレース布を用いることができる。このように連結片１３及び飾り片１５、１６、１７としてゴムレース布を用いることにより、これらの部分が弾力を有して身体部位に密着するため、身体との一体感を得ることができ、着用感を向上させることができる。
【００１９】
図９は女性用下着１０を着用した状態を前側から示し、図９は後側から示している。女性用下着１０の着用により、第１の部分片１１における脚挿入部３は肩及び上腕を覆い、腹部２がアンダーバストを覆っている。また、連結片１３及び第２の部分片１２はウエストを覆っている。この場合、第２の部分片１２としては、ウエストから下腹部にかけた部分を覆っても良い。また、第１の部分片１１の腹部２がアンダーバストを覆っていることから、この上からブラジャーを着用してバストを覆うことができる。
【００２０】
このような実施の形態では、第１の部分片１１及び第２の部分片１２の素材として、伸縮自在なパンティーストッキングを用いるため、これらが弾力を有した状態で身体に密着して身体部分を覆うことができ、身体を締め付けることがない。このため、上腕、肩、アンダーバストやウエストの筋肉や皮膚が盛り上がったり、はみ出すことなく、確実にカバーリングすることができる。これにより、この下着１０の上からブラジャーを着用しても、上腕部分や脇下部分が盛り上がることなく、すっきりした美しいシルエット線とすることができる。
【００２１】
これに加えて、下着１０の全体が軽量で且つ身体部分を締め付けることがないため、着用時における苦痛が伴うことがないばかりでなく、薄い生地のため、薄着に対しても好適に着用することが可能となる。
【００２２】
本考案は、以上の実施の形態に限定されることなく、種々変形が可能である。例えば、連結片１３として、ゴムレース布以外の布材を用いても良く、飾り片１５、１６、１７を省いても良い。
【図面の簡単な説明】
【００２３】
【図１】本考案の一実施の形態に用いるパンティーストッキングの斜視図である。
【図２】下着を作成する第１工程の斜視図であり、（ａ）は脚部の切断を示し（ｂ）は腹部の切断を示す。
【図３】下着を作成する第２工程の斜視図であり、（ａ）は使用される部位を示し、（ｂ）はその展開状態を示す。
【図４】腹部からゴムバンド部を切り落とす状態を示す正面図である。
【図５】第１の部分片及び第２の部分片を並べた状態を示す正面図である。
【図６】図５の状態に対しゴムバンド部を切り落とした状態を示す正面図である。
【図７】本考案の一実施の形態の女性用下着の正面図である。
【図８】女性用下着の背面図である。
【図９】着用した状態を示す前側からの斜視図である。
【図１０】着用した状態を示す後側からの斜視図である。
【符号の説明】
【００２４】
１  パンティーストッキング
２  腹部
３  脚挿入部
１０  女性用下着
１１  第１の部分片
１２  第２の部分片
１３  連結片
１４  ファスナー
１５、１６、１７  飾り片
【図１】
0003107679.tif 000003
【図２】
0003107679.tif 000004
【図３】
0003107679.tif 000005
【図４】
0003107679.tif 000006
【図５】
0003107679.tif 000007
【図６】
0003107679.tif 000008
【図７】
0003107679.tif 000009
【図８】
0003107679.tif 000010
【図９】
0003107679.tif 000011
【図１０】
0003107679.tif 000012